(57)【要約】【課題】各走査ラインにおける液晶の応答到達階調を略均一にすることにより、走査ラインによって不均一な輝度分布が発生することを抑制し、回路規模及び消費電力を増大することなく、良好な動画を表示することができる液晶表示装置を提供する。【解決手段】フレームメモリ部１は、入力される映像信号を１フレーム期間内に２回書き込むことができるように、映像信号を高速化した高速映像信号に変換し、駆動回路３は、１フレーム期間を前フレーム期間と後フレーム期間とに分割し、液晶パネル４の表示画面のうち上部表示領域の画素に対して、前フレーム期間において直前のフレーム期間の高速映像信号を書き込み且つ後フレーム期間において現在のフレーム期間の高速映像信号を書き込むことにより、液晶パネル４を駆動し、バックライト点灯制御回路５は、前フレーム期間においてバックライト６を点灯させ、後フレーム期間においてバックライト６を消灯させる。【選択図】図１
2009109736.tif 000002
【特許請求の範囲】
【請求項１】
複数の画素を含む液晶パネルと、
入力される映像信号を１フレーム期間内に２回書き込むことができるように、前記映像信号を高速化した高速映像信号に変換する変換手段と、
１フレーム期間を前フレーム期間と後フレーム期間とに分割し、前記液晶パネルの表示画面のうち所定の表示領域の画素に対して、前記前フレーム期間において直前のフレーム期間の高速映像信号を書き込み且つ前記後フレーム期間において現在のフレーム期間の高速映像信号を書き込むことにより、前記液晶パネルを駆動するパネル駆動手段と、
前記液晶パネルを照明する光源と、
前記前フレーム期間において前記光源を点灯させ、前記後フレーム期間において前記光源を消灯させる光源制御手段とを備えることを特徴とする液晶表示装置。
【請求項２】
前記パネル駆動手段は、前記液晶パネルの表示画面を上部表示領域と下部表示領域とに分割し、前記上部表示領域の画素に対して、前記前フレーム期間において直前のフレーム期間の高速映像信号を書き込み且つ前記後フレーム期間において現在のフレーム期間の高速映像信号を書き込み、前記下部表示領域の画素に対して、前記前フレーム期間及び前記後フレーム期間の各期間において現在のフレーム期間の高速映像信号を書き込むことにより、前記液晶パネルを駆動することを特徴とする請求項１記載の液晶表示装置。
【請求項３】
前記パネル駆動手段は、前記上部表示領域の最下部を含む上部下側領域の画素に対して、前記後フレーム期間において現在のフレーム期間の高速映像信号より大きいオーバードライブ映像信号を書き込むことを特徴とする請求項２記載の液晶表示装置。
【請求項４】
前記パネル駆動手段は、前記下部表示領域の最上部を含む下部上側領域の画素に対して、前記前フレーム期間において現在のフレーム期間の高速映像信号より小さいアンダードライブ映像信号を書き込むことを特徴とする請求項２又は３記載の液晶表示装置。
【請求項５】
前記光源制御手段は、前記前フレーム期間を所定の移動時間だけ移動させた移動前フレーム期間において前記光源を点灯させ、前記後フレーム期間を所定の移動時間だけ移動させた移動後フレーム期間において前記光源を消灯させることを特徴とする請求項１〜４のいずれかに記載の液晶表示装置。
【請求項６】
複数の画素を含む液晶パネルを備える液晶表示装置の駆動方法であって、
入力される映像信号を１フレーム期間内に２回書き込むことができるように、前記映像信号を高速化した高速映像信号に変換するステップと、
１フレーム期間を前フレーム期間と後フレーム期間とに分割し、前記液晶パネルの表示画面のうち上部表示領域の画素に対して、前記前フレーム期間において直前のフレーム期間の高速映像信号を書き込み且つ前記後フレーム期間において現在のフレーム期間の高速映像信号を書き込むことにより、前記液晶パネルを駆動し、前記液晶パネルの背面に設けられた光源を前記前フレーム期間において点灯させ、前記後フレーム期間において前記光源を消灯させるステップとを含むことを特徴とする液晶表示装置の駆動方法。
【発明の詳細な説明】
【技術分野】
【０００１】
本発明は、液晶パネルの背面に設けられた光源を間欠点灯させながら高速映像信号を液晶パネルに書き込む液晶表示装置及びその駆動方法に関し、特に、１フレーム期間内に光源を間欠点灯するとともに、高速映像信号を２度書きすることにより、画面全体の液晶応答タイミングを略均一にする液晶表示装置及びその駆動方法に関するものである。
【背景技術】
【０００２】
従来、液晶表示装置は、軽量、薄型、低消費電力等の利点からコンピュータ用のディスプレイデバイスとして多く使用されてきたが、画面サイズの大型化に伴い、徐々に一般のテレビジョンとして使用されるケースが増加しつつある。この液晶表示装置は、１フレーム期間中に画像を表示し続けるホールド型表示装置であるため、動画像表示時に画像の輪郭がぼやける動きボケ現象が発生し、インパルス型表示装置であるＣＲＴ（陰極線管）に匹敵する動画像表示性能は得られていない。
【０００３】
このため、例えば、走査信号電極を順次選択し表示画像信号に応じた電圧をデータ電極に印加して１画像分の表示画像信号を書込み、かつ液晶パネルに印加する画像信号に応じた電圧を１フレーム期間の間保持し、１画像分の表示画像信号の書込み開始から液晶層の透過率が過渡的な値から定常的な値に達するまでの期間では照明電源によって液晶パネルを照明せず、液晶層の透過率が定常的な値に達した後に照明電源によって液晶パネルを照明し、１画像分の表示画像信号の書込み開始から液晶層の透過率が過渡的な値から定常的な値に達するまでの時間と、照明の開始から照明電源をオフし照明光源の光が無くなるまでの時間を加えた時間とが、１画像を表示するフレーム周期以内とする液晶表示装置が提案されている（例えば、特許文献１参照）。
【０００４】
また、カラーフィルタ付きパネルに強誘電性液晶または反強誘電性液晶を封入した液晶パネルと、白色光を発光するバックライトとを組み合わせた液晶表示装置において、液晶パネルへのデータ書込み処理時の周波数をフレーム周波数の２倍以上（１２０Ｈｚ以上）とし、液晶パネルへのデータ書込み処理及びデータ消去処理を１フレーム期間内に行って、カラーフィルタを光が透過する時間を１フレーム期間の半分以下とする液晶表示装置が提案されている（例えば、特許文献２参照）。
【０００５】
さらに、他の従来の液晶表示装置では、液晶パネルの動画表示の動きボケを抑えるために、１フレーム期間内でバックライト間欠点灯を行うことも行われている。図９は、従来の液晶表示装置の映像信号の書き込みタイミングとバックライトの点滅タイミングを示す図である。
【０００６】
図９に示す例では、１フレーム期間を前フレーム期間と後フレーム期間とに２分割し、前フレーム期間ではバックライトを消灯し、後フレーム期間（図中のハッチング部分）ではバックライトを点灯させ、バックライトを間欠点灯している。
【０００７】
ここで、液晶パネルの水平方向の１行の画素からなる走査ラインとして、最上部の第１走査ラインをＰ１、中間位置の中間走査ラインをＰＭ、最下部の最終走査ラインをＰＥとし、第１フレーム期間Ｆ１−Ｆ、Ｆ１−Ｂに黒レベルの映像信号（例えば、２５６階調の０レベル）を書き込み、第２フレーム期間Ｆ２−Ｆ、Ｆ２−Ｂに白レベルの映像信号（例えば、２５６階調の２５５レベル）を書き込み、第３フレーム期間Ｆ３−Ｆ、Ｆ３−Ｂに白レベルの映像信号を書き込む場合、図中の破線ＤＰのタイミングに従って白レベルの映像信号が第１走査ラインＰ１から中間走査ラインＰＭを経て最終走査ラインＰＥに順次書き込まれ、各走査ラインの応答波形は図９に示すようになる。
【０００８】
すなわち、バックライトが点灯している期間、すなわち、第１フレーム期間の後フレーム期間Ｆ１−Ｂでは全走査ラインで黒表示が行われ、第３フレーム期間の後フレーム期間Ｆ３−Ｂでは全走査ラインで白表示が行われ、第２フレーム期間の後フレーム期間Ｆ２−Ｂでは上部の走査ラインはほぼ白レベルに達して白表示が行われる。
【特許文献１】特開２００１−１２５０６６号公報
【特許文献２】特開２００１−３４３９４３号公報
【発明の開示】
【発明が解決しようとする課題】
【０００９】
しかしながら、下部の走査ラインでは液晶が過渡的な応答状態にあり、バックライトが点灯している後フレーム期間Ｆ２−Ｂにおいて白レベルまで達していない期間が存在するため、各走査ラインの輝度が不均一になり、動きボケが発生する。このように、表示画面を書き換える際に、表示画面上部は映像信号の書き込みタイミングが早く、下部は書き込みタイミングが遅いため、上部の書き込み及び液晶応答の完了後にバックライトを点灯させても、下部は書き換え及び液晶応答が未完了のため、まだ書き換わっていなかったり、到達階調が不十分であり、二重像やエッジボケが発生して画質が劣化する。
【００１０】
図１０は、図９に示す駆動タイミングで液晶パネル及びバックライトを駆動した場合の動きボケを模式的に示す図である。図１０に示す例は、（ａ−１）に示すように、第１フレーム期間に表示画面の右側に黒色の楕円が書き込まれ、次に、（ａ−２）に示すように、第２フレーム期間に表示画面の中央に黒色の楕円が書き込まれ、最後に、（ａ−３）に示すように、第３フレーム期間に表示画面の左側に黒色の楕円が書き込まれる場合の動きボケについて模式的に示したものである。
【００１１】
この場合、第１フレーム期間では、（ｂ−１）に示すように、下側ほど白くなる黒色の楕円が表示画面の右側に表示され、第２フレーム期間では、（ｂ−２）に示すように、下側ほど白くなる黒色の楕円が表示画面の中央に表示されるとともに、第１フレームの残像として上側ほど白くなる黒色の楕円が表示画面の右側に表示され、第３フレーム期間では、（ｂ−３）に示すように、下側ほど白くなる黒色の楕円が表示画面の左側に表示されるとともに、第２フレームの残像として上側ほど白くなる黒色の楕円が表示画面の中央に表示され、動画像を表示した場合にユーザは動きボケを知覚するようになる。
【００１２】
このように、１フレーム期間内でバックライト間欠点灯を行う場合、バックライト点灯時点での液晶の応答到達階調が各走査ラインで異なるため、表示画面の垂直方向位置によって輝度分布が不均一となり、表示画像の品位を損なう。
【００１３】
また、特許文献１に開示される液晶表示装置のように、液晶層の透過率が定常的な値に達した後に照明電源によって液晶パネルを照明したり、特許文献２に開示される液晶表示装置のように映像信号を高速で書き込むことによりバックライト点灯時に全走査ラインで液晶応答を完了させておくことも考えられるが、液晶の応答速度の遅さが問題となり、現実的でない。また、映像信号を高速で書き込むための駆動回路も必要となり、駆動回路の負担が増大し、その消費電力も増大する。
【００１４】
本発明の目的は、各走査ラインにおける液晶の応答到達階調を略均一にすることにより、走査ラインによって不均一な輝度分布が発生することを抑制し、回路規模及び消費電力を増大することなく、良好な動画を表示することができる液晶表示装置及びその駆動方法を提供することである。
【課題を解決するための手段】
【００１５】
本発明に係る液晶表示装置は、複数の画素を含む液晶パネルと、入力される映像信号を１フレーム期間内に２回書き込むことができるように、前記映像信号を高速化した高速映像信号に変換する変換手段と、１フレーム期間を前フレーム期間と後フレーム期間とに分割し、前記液晶パネルの表示画面のうち所定の表示領域の画素に対して、前記前フレーム期間において直前のフレーム期間の高速映像信号を書き込み且つ前記後フレーム期間において現在のフレーム期間の高速映像信号を書き込むことにより、前記液晶パネルを駆動するパネル駆動手段と、前記液晶パネルを照明する光源と、前記前フレーム期間において前記光源を点灯させ、前記後フレーム期間において前記光源を消灯させる光源制御手段とを備えるものである。
【００１６】
この液晶表示装置においては、１フレーム期間が前フレーム期間と後フレーム期間とに分割され、液晶パネルの表示画面のうち所定の表示領域の画素に対して、前フレーム期間において直前のフレーム期間の高速映像信号を書き込み且つ後フレーム期間において現在のフレーム期間の高速映像信号を書き込むことにより液晶パネルが駆動される。このとき、前フレーム期間において光源が点灯され、後フレーム期間において光源が消灯されるので、高速映像信号は、最初に、光源が消灯されている現在のフレーム期間の後フレーム期間において書き込まれ、次に、光源が点灯されている次のフレーム期間の前フレーム期間において再度書き込まれる。したがって、液晶パネルの所定の表示領域において、光源消灯期間内に高速映像信号の１回目の書込みによる液晶の過渡的な応答が行われるので、ユーザは液晶の過渡的な応答時の表示画面を視認することがなく、その後、高速映像信号の２回目の書込みが光源点灯期間に行われ、光源点灯期間には液晶は目標階調に達しているので、液晶の応答完了後の表示画面のみを視認することができる。このようにして、各走査ラインにおける液晶の応答到達階調を略均一にすることにより、走査ラインによって不均一な輝度分布が発生することを抑制し、回路規模及び消費電力を増大することなく、良好な動画を表示することができる。
【００１７】
前記パネル駆動手段は、前記液晶パネルの表示画面を上部表示領域と下部表示領域とに分割し、前記上部表示領域の画素に対して、前記前フレーム期間において直前のフレーム期間の高速映像信号を書き込み且つ前記後フレーム期間において現在のフレーム期間の高速映像信号を書き込み、前記下部表示領域の画素に対して、前記前フレーム期間及び前記後フレーム期間の各期間において現在のフレーム期間の高速映像信号を書き込むことにより、前記液晶パネルを駆動することが好ましい。
【００１８】
この場合、液晶パネルの表示画面が上部表示領域と下部表示領域とに分割され、上部表示領域の画素に対して、前フレーム期間において直前のフレーム期間の高速映像信号を書き込み且つ後フレーム期間において現在のフレーム期間の高速映像信号を書き込むことにより液晶パネルが駆動される。したがって、液晶パネルの上部表示領域において、光源消灯期間内に高速映像信号の１回目の書込みによる液晶の過渡的な応答が行われるので、ユーザは液晶の過渡的な応答時の表示画面を視認することがなく、その後、高速映像信号の２回目の書込みが光源点灯期間に行われ、光源点灯期間には液晶は目標階調達しているので、液晶の応答完了時の表示画面のみを視認することができる。
【００１９】
また、下部表示領域の画素に対して、前フレーム期間及び後フレーム期間の各期間において現在のフレーム期間の高速映像信号を書き込むことにより液晶パネルが駆動されるので、液晶パネルの下部表示領域において、光源点灯期間に高速映像信号の１回目の書込みによる液晶の過渡的な応答が行われるが、下部表示領域の走査ラインの駆動開始タイミングは上部表示領域の走査ラインの駆動開始タイミングより十分に遅延しているので、光源点灯期間の後半の一部のみに過渡的な応答による表示が制限され、光源点灯期間の大部分は直前のフレーム期間において２度書きされた状態にあり、液晶が目標階調に達している。
【００２０】
この結果、表示画面全体において、各走査ラインにおける液晶の応答到達階調を略均一にすることができ、走査ラインによって不均一な輝度分布が発生することを抑制し、回路規模及び消費電力を増大することなく、良好な動画を表示することができる。
【００２１】
前記パネル駆動手段は、前記上部表示領域の最下部を含む上部下側領域の画素に対して、前記後フレーム期間において現在のフレーム期間の高速映像信号より大きいオーバードライブ映像信号を書き込むことが好ましい。
【００２２】
この場合、上部表示領域の最下部を含む上部下側領域の画素に対して、後フレーム期間において現在のフレーム期間の高速映像信号より大きいオーバードライブ映像信号を書き込んでいるので、走査ラインの駆動開始タイミングが遅い上部表示領域の最下部を含む上部下側領域において、液晶が目標階調に達する時間を短縮して光源消灯期間内に目標階調に到達させることができ、応答速度の遅い液晶パネルを用いた場合でも、上部表示領域における各走査ラインにおける液晶の応答到達階調を略均一にすることができる。
【００２３】
前記パネル駆動手段は、前記下部表示領域の最上部を含む下部上側領域の画素に対して、前記前フレーム期間において現在のフレーム期間の高速映像信号より小さいアンダードライブ映像信号を書き込むことが好ましい。
【００２４】
この場合、下部表示領域の最上部を含む下部上側領域の画素に対して、前フレーム期間において現在のフレーム期間の高速映像信号より小さいアンダードライブ映像信号を書き込んでいるので、下部表示領域の最上部を含む下部上側領域において、光源点灯期間における液晶の過渡応答による階調変化を小さくすることができ、下部表示領域の最上部を含む下部上側領域において、各走査ラインにおける液晶の応答到達階調を略均一にすることができる。
【００２５】
前記光源制御手段は、前記前フレーム期間を所定の移動時間だけ移動させた移動前フレーム期間において前記光源を点灯させ、前記後フレーム期間を所定の移動時間だけ移動させた移動後フレーム期間において前記光源を消灯させることが好ましい。
【００２６】
この場合、前フレーム期間を所定の移動時間だけ前方又は後方へ移動させた移動前フレーム期間において光源が点灯され、後フレーム期間を所定の移動時間だけ前方又は後方へ移動させた移動後フレーム期間において光源が消灯されるので、液晶パネルの応答特性に応じて光源点灯期間における液晶の過渡応答期間を変更することができ、各走査ラインにおける液晶の応答到達階調を略均一にすることができる。
【００２７】
本発明に係る液晶表示装置の駆動方法は、複数の画素を含む液晶パネルを備える液晶表示装置の駆動方法であって、入力される映像信号を１フレーム期間内に２回書き込むことができるように、前記映像信号を高速化した高速映像信号に変換するステップと、１フレーム期間を前フレーム期間と後フレーム期間とに分割し、前記液晶パネルの表示画面のうち上部表示領域の画素に対して、前記前フレーム期間において直前のフレーム期間の高速映像信号を書き込み且つ前記後フレーム期間において現在のフレーム期間の高速映像信号を書き込むことにより、前記液晶パネルを駆動し、前記液晶パネルの背面に設けられた光源を前記前フレーム期間において点灯させ、前記後フレーム期間において前記光源を消灯させるステップとを含むものである。
【発明の効果】
【００２８】
本発明によれば、各走査ラインにおける液晶の応答到達階調を略均一にすることにより、走査ラインによって不均一な輝度分布が発生することを抑制し、回路規模及び消費電力を増大することなく、良好な動画を表示することができる。
【発明を実施するための最良の形態】
【００２９】
以下、本発明の各実施の形態による液晶表示装置について図面を参照しながら説明する。
【００３０】
（第１の実施の形態）
まず、本発明の第１の実施の形態による液晶表示装置について説明する。図１は、本発明の第１の実施の形態による液晶表示装置の構成を示すブロック図である。図１に示す液晶表示装置は、フレームメモリ部１、メモリ制御回路２、駆動回路３、液晶パネル４、バックライト点灯制御回路５及びバックライト６を備える。
【００３１】
テレビジョン信号等の映像信号が、外部又は内部で所定の処理により液晶パネル４に適した画像データからなる映像信号ＶＳへ変換され、映像信号ＶＳは、フレームメモリ部１に入力され、映像信号ＶＳの垂直同期信号、水平同期信号、ピクセルクロック等からなる同期信号ＳＳは、メモリ制御回路２及びバックライト点灯制御回路５へ入力される。なお、通常、３原色（ＲＧＢ）に分離された映像信号ＶＲ，ＶＧ，ＶＢが使用されるが、説明を容易にするために、本実施の形態では、一つの映像信号ＶＳとして以降の説明を行う。
【００３２】
フレームメモリ部１は、１フレーム分の映像信号を記憶可能な容量を有する第１及び第２フレームメモリから構成され、２フレーム分の映像信号を記憶可能な容量を有する。メモリ制御回路２は、同期信号ＳＳを基に、同期信号ＳＳの垂直同期信号を検出する毎に書き込み開始アドレスを切り替えて書き込みアドレス信号をフレームメモリ部１へ出力し、１フレーム毎に第１フレームメモリと第２フレームメモリとに交互に書き込みを行うダブルバッファリングを行うようにフレームメモリ部１を制御する。
【００３３】
また、メモリ制御回路２は、同期信号ＳＳを基に、所定のタイミングで読み出しアドレス信号をフレームメモリ部１へ出力する。フレームメモリ部１は、入力される映像信号ＶＳを第１及び第２フレームメモリに交互に記憶し、読み出しアドレス信号を基に、後述する所定のタイミングで第１及び第２フレームメモリから映像信号を読み出すことにより、１フレーム期間内に映像信号を２回書き込むことができるように、映像信号ＶＳを２倍速化した高速映像信号（２度書き映像信号）に変換して駆動回路３へ出力する。
【００３４】
液晶パネル４は、複数のゲート線、複数のソース線、スイッチング素子及び複数の画素セルを備え、複数のソース線及び複数のゲート線の交点にマトリクス状に複数の画素が配置され、水平方向の１ラインの画素から１走査ラインが構成される。複数のソース線には駆動回路３から画素信号が供給され、複数のゲート線には駆動回路３から走査信号となるゲートパルスが供給され、画素が駆動される。
【００３５】
駆動回路３は、１フレーム期間を前半の前フレーム期間と後半の後フレーム期間とに分割し、液晶パネル４の表示画面を上側の４分の３の領域からなる上部表示領域と残り下側４分の１の領域からなる下部表示領域とに分割し、上部表示領域の画素（走査ライン）に対して、前フレーム期間において直前のフレーム期間の高速映像信号を書き込み且つ後フレーム期間において現在のフレーム期間の高速映像信号を書き込み、下部表示領域の画素（走査ライン）に対して、前フレーム期間及び前記後フレーム期間の各期間において現在のフレーム期間の高速映像信号を書き込む動作を繰り返すことにより、液晶パネル４を駆動する。
【００３６】
なお、液晶パネル４の表示画面の分割比は、上記の例に特に限定されず、液晶パネル４に用いられる液晶の応答特性等に応じて種々の値を用いることができ、応答が遅い液晶パネルの場合、上側の２分の１を上部表示領域、残り下側２分の１を下部表示領域に設定したり、応答が速い液晶パネルの場合、上側の８分の７を上部表示領域、残り下側８分の１を下部表示領域に設定したりしてもよい。
【００３７】
バックライト６は、液晶パネル４の背面に設置され、液晶パネル４を背面から照明する。バックライト点灯制御回路５は、同期信号ＳＳを基に、前フレーム期間においてバックライト６を点灯させ、後フレーム期間においてバックライト６を消灯させる。
【００３８】
図２は、図１に示すフレームメモリ部１の第１及び第２フレームメモリの書き込みタイミング及び読み出しタイミングを説明するためのタイミングチャートである。
【００３９】
まず、書き込みタイミングについて説明すると、図２の上段に示すように、第１フレームメモリの書き込みデータＷＡとして、第１フレーム期間の映像信号Ｖ１が第１フレームメモリに１フレーム期間をかけて書き込まれる。次に、第２フレームメモリの書き込みデータＷＢとして、第２フレーム期間の映像信号Ｖ２が第２フレームメモリに１フレーム期間をかけて書き込まれる。次に、第１フレームメモリの書き込みデータＷＡとして、第３フレーム期間の映像信号Ｖ３が第１フレームメモリに１フレーム期間をかけて書き込まれる。次に、第２フレームメモリの書き込みデータＷＢとして、第４フレーム期間の映像信号Ｖ４が第２フレームメモリに１フレーム期間をかけて書き込まれる。以降、上記の動作が繰り返される。
【００４０】
このようにして、フレームメモリ部１は、垂直同期信号を検出される毎に書き込み開始アドレスを切り替え、１フレーム毎に第１及び第２フレームメモリに交互に映像信号を書き込み、ダブルバッファリングが実行される。
【００４１】
次に、読み出しタイミングについて説明すると、フレームメモリ部１からの映像信号の読み出しは、１フレーム期間中に２回行われ、高速映像信号が書き込み速度の２倍の速度でフレームメモリ部１から読み出される。ここで、フレームメモリ部１の読み出しタイミングは、フレームメモリ部１の書き込みタイミングから半フレーム分遅れたタイミングで開始され、書き込みタイミングにおけるフレーム期間から半フレーム分遅れた期間が読み出しタイミングにおけるフレーム期間に対応し、本実施の形態では、読み出しタイミングにおけるフレーム期間の前半が前フレーム期間となり、後半が後フレーム期間となる。
【００４２】
上記の読み出し動作において、メモリ制御回路２は、水平同期信号をカウントして現在の書き込み走査ラインが上部表示領域の走査ラインであるか、又は下部表示領域の走査ラインであるかを判別し、判断結果に応じて、以下のようにしてフレームメモリ部１の読み出しアドレスを生成する。
【００４３】
まず、現在の書き込み走査ラインが上部表示領域の走査ラインである場合、前フレーム期間及び後フレーム期間ともに、第１フレームメモリ及び第２フレームメモリのうち書き込みが行われていない方のフレームメモリから高速画像信号を読み出す。
【００４４】
具体的には、図２の中段に示すように、上部表示領域の第１フレームメモリの読み出しデータＲＡＵとして、読み出しタイミングにおける第１フレーム期間の後フレーム期間において、第１フレームメモリから第１フレーム期間の映像信号Ｖ１を２倍速で読み出した高速画像信号ＨＶ１が駆動回路３へ出力される。次に、読み出しタイミングにおける第２フレーム期間の前フレーム期間において、第１フレームメモリから第１フレーム期間の映像信号Ｖ１を２倍速で再度読み出した高速画像信号ＨＶ１が駆動回路３へ再度出力される。
【００４５】
次に、上部表示領域の第２フレームメモリの読み出しデータＲＢＵとして、読み出しタイミングにおける第２フレーム期間の後フレーム期間において、第２フレームメモリから第２フレーム期間の映像信号Ｖ２を２倍速で読み出した高速画像信号ＨＶ２が駆動回路３へ出力される。次に、読み出しタイミングにおける第３フレーム期間の前フレーム期間において、第２フレームメモリから第２フレーム期間の映像信号Ｖ２を２倍速で再度読み出した高速画像信号ＨＶ２が駆動回路３へ再度出力される。以降、上記と同様に第１及び第２フレームメモリから高速画像信号が駆動回路３へ順次出力される。
【００４６】
一方、現在の書き込み走査ラインが下部表示領域の走査ラインである場合、前フレーム期間では、第１フレームメモリ及び第２フレームメモリのうち現在書き込み中のフレームメモリから高速画像信号を読み出し、後フレーム期間では、書き込みが行われていない方のフレームメモリから高速画像信号を読み出す。
【００４７】
具体的には、図２の下段に示すように、下部表示領域の第１フレームメモリの読み出しデータＲＡＬとして、読み出しタイミングにおける第１フレーム期間の前フレーム期間において、第１フレームメモリから第１フレーム期間の映像信号Ｖ１を２倍速で読み出した第１フレームの高速画像信号ＨＶ１が駆動回路３へ出力される。次に、読み出しタイミングにおける第１フレーム期間の後フレーム期間において、第１フレームメモリから第１フレーム期間の映像信号Ｖ１を２倍速で再度読み出した第１フレームの高速画像信号ＨＶ１が駆動回路３へ再度出力される。
【００４８】
次に、下部表示領域の第２フレームメモリの読み出しデータＲＢＬとして、読み出しタイミングにおける第２フレーム期間の前フレーム期間において、第２フレームメモリから第２フレーム期間の映像信号Ｖ２を２倍速で読み出した高速画像信号ＨＶ２が駆動回路３へ出力される。次に、読み出しタイミングにおける第２フレーム期間の後フレーム期間において、第２フレームメモリから第２フレーム期間の映像信号Ｖ２を２倍速で再度読み出した高速画像信号ＨＶ２が駆動回路３へ再度出力される。以降、上記と同様に第１及び第２フレームメモリから高速画像信号が駆動回路３へ順次出力される。
【００４９】
図３は、図１に示す液晶表示装置の映像信号の書き込みタイミングとバックライトの点滅タイミングを示す図である。本実施の形態では、１フレーム期間（図２に示す読み出しタイミングにおけるフレーム期間）の前半を前フレーム期間とし、後半を後フレーム期間とし、前フレーム期間にバックライト６を点灯させ（図中のハッチング部分）、後フレーム期間にバックライト６を消灯させ、バックライト６を間欠点灯している。
【００５０】
また、液晶パネル４の上側４分の３が上部表示領域に、下側４分の１が下部表示領域に設定され、水平方向の１行の画素からなる走査ラインとして、上部表示領域の最上部の第１走査ラインをＵ１、最下部の最終走査ラインをＵＥとし、下部表示領域の最上部の第１走査ラインをＬ１、最下部の最終走査ラインをＬＥとしている。
【００５１】
上記の設定において、図３に示す例では、第０フレーム期間（図示省略）に黒レベルの高速映像信号（例えば、２５６階調の０レベル）を書き込み、第１フレーム期間に黒レベルの高速映像信号を書き込み、第２フレーム期間に白レベルの高速映像信号（例えば、２５６階調の２５５レベル）を書き込み、第３フレーム期間に白レベルの高速映像信号を書き込む場合、上部表示領域において、図中の破線ＤＵのタイミングに従って白レベルの高速映像信号が最上部の第１走査ラインＵ１から最終走査ラインＵＥまで順次書き込まれ、また、下部表示領域において、図中の破線ＤＬのタイミングに従って白レベルの高速映像信号が最上部の第１走査ラインＬ１から最終走査ラインＬＥまで順次書き込まれ、各走査ラインの応答波形は図３に示すようになる。
【００５２】
すなわち、上部表示領域では、第１フレーム期間Ｆ１−Ｆ、Ｆ１−Ｂの、バックライト６が点灯している期間すなわち前フレーム期間Ｆ１−Ｆにおいて、第０フレーム期間の黒レベルの高速映像信号が全走査ラインＵ１〜ＵＥに書き込まれて黒表示が行われ、バックライト６が消灯している期間すなわち後フレーム期間Ｆ１−Ｂにおいて、第１フレーム期間の黒レベルの高速映像信号が全走査ラインＵ１〜ＵＥに書き込まれる。
【００５３】
次に、第２フレーム期間Ｆ２−Ｆ、Ｆ２−Ｂの、バックライト６が点灯している期間すなわち前フレーム期間Ｆ２−Ｆにおいて、第１フレーム期間の黒レベルの高速映像信号が全走査ラインＵ１〜ＵＥに再度書き込まれて黒表示が行われ、バックライト６が消灯している期間すなわち後フレーム期間Ｆ２−Ｂにおいて、第１フレーム期間の白レベルの高速映像信号が破線ＤＵのタイミングに従って全走査ラインＵ１〜ＵＥに書き込まれる。
【００５４】
次に、第３フレーム期間Ｆ３−Ｆ、Ｆ３−Ｂの、バックライト６が点灯している期間すなわち前フレーム期間Ｆ３−Ｆにおいて、第２フレーム期間の白レベルの高速映像信号が全走査ラインＵ１〜ＵＥに再度書き込まれて白表示が行われ、バックライト６が消灯している期間すなわち後フレーム期間Ｆ３−Ｂにおいて、第３フレーム期間の白レベルの高速映像信号が全走査ラインＵ１〜ＵＥに書き込まれる。
【００５５】
したがって、上部表示領域では、バックライト６が消灯している期間である後フレーム期間Ｆ２−Ｂにおいて液晶の過渡応答状態が終了しているので、バックライト６が点灯している期間である前フレーム期間Ｆ２−Ｆでは目標階調である黒レベルに達している状態で黒表示が行われ、前フレーム期間Ｆ３−Ｆ点では目標階調である白レベルに達している状態で白表示が行われる。この結果、上部表示領域において、各走査ラインにおける液晶の応答到達階調を均一にすることができ、走査ラインによって不均一な輝度分布が発生することを抑制し、回路規模及び消費電力を増大することなく、良好な動画を表示することができる。
【００５６】
なお、表示画面全体に対する上部表示領域の比率としては、液晶パネル４の応答速度に主に依存するが、前フレーム期間の終端で目標階調の８０％、好ましくは９０％、より好ましくは９５％、さらに好ましくは９８％に達するように、上部表示領域の比率は設定することができる。
【００５７】
一方、下部表示領域では、第１フレーム期間Ｆ１−Ｆ、Ｆ１−Ｂの、バックライト６が点灯している期間すなわち前フレーム期間Ｆ１−Ｆにおいて、第１フレーム期間の黒レベルの映像信号が全走査ラインＬ１〜ＬＥに書き込まれて黒表示が行われ、バックライト６が消灯している期間すなわち後フレーム期間Ｆ１−Ｂにおいて、第１フレーム期間の黒レベルの映像信号が全走査ラインＬ１〜ＬＥに再度書き込まれる。
【００５８】
次に、第２フレーム期間Ｆ２−Ｆ、Ｆ２−Ｂの、バックライト６が点灯している期間すなわち前フレーム期間Ｆ２−Ｆにおいて、第２フレーム期間の白レベルの高速映像信号が破線ＤＬのタイミングに従って全走査ラインＬ１〜ＬＥに書き込まれるが、前フレーム期間Ｆ２−Ｆの大部分においては黒レベルにあり、黒表示が行われ、バックライト６が消灯している期間すなわち後フレーム期間Ｆ２−Ｂにおいて、第１フレーム期間の白レベルの高速映像信号が全走査ラインＬ１〜ＬＥに再度書き込まれる。
【００５９】
次に、第３フレーム期間Ｆ３−Ｆ、Ｆ３−Ｂの、バックライト６が点灯している期間すなわち前フレーム期間Ｆ３−Ｆに、第３フレーム期間の白レベルの高速映像信号が全走査ラインＬ１〜ＬＥに書き込まれて白表示が行われ、バックライト６が消灯している期間すなわち後フレーム期間Ｆ３−Ｂに、第３フレーム期間の白レベルの高速映像信号が全走査ラインＵ１〜ＵＥに再度書き込まれる。
【００６０】
したがって、下部表示領域では、バックライト６が点灯している期間である前フレーム期間Ｆ２−Ｆの後半の一部のみに液晶の過渡応答期間を制限し、残りの大部分は直前のフレーム期間の目標階調である黒レベルに達している状態で黒表示が行われる。また、消灯している期間である後フレーム期間Ｆ２−Ｂにおいて残りの過渡応答が実行され、次にバックライト６が点灯している期間である前フレーム期間Ｆ３−Ｆでは目標階調である白レベルに達している状態で白表示が行われる。このように、下部表示領域の上側領域においては一部の過渡応答状態がバックライト６の点灯期間に位置するが、下部表示領域は上部表示領域に比して十分に小さく、また、大半の過渡応答期間はバックライト６の消灯期間に位置するため、下部表示領域においても、各走査ラインにおける液晶の応答到達階調をほぼ均一にすることができ、走査ラインによって不均一な輝度分布が発生することを抑制し、良好な動画を表示することができる。
【００６１】
図４は、図３に示す駆動タイミングで液晶パネル及びバックライトを駆動した場合の動きボケを模式的に示す図である。図４に示す例は、図１０と同様に、（ａ−１）に示すように、第１フレーム期間に表示画面の右側に黒色の楕円が書き込まれ、次に、（ａ−２）に示すように、第２フレーム期間に表示画面の中央に黒色の楕円が書き込まれ、最後に、（ａ−３）に示すように、第３フレーム期間に表示画面の左側に黒色の楕円が書き込まれる場合の動きボケについて模式的に示したものである。
【００６２】
この場合、本実施の形態では、第１フレーム期間の前フレーム期間では、（ｂ−１Ｆ）に示すように、下部表示領域のみにおいて表示画面の右側に黒色の楕円の下部の一部が書き込まれ、後フレーム期間では、（ｂ−１Ｂ）に示すように、上部表示領域及び下部表示領域すなわち表示画面全体においてその右側に黒色の楕円が書き込まれる。
【００６３】
次に、第２フレーム期間の前フレーム期間では、（ｂ−２Ｆ）に示すように、上部表示領域において表示画面の左側に下部の一部を除く黒色の楕円の大部分が書き込まれるとともに、下部表示領域において表示画面の中央に黒色の楕円の下部の一部が書き込まれ、後フレーム期間では、（ｂ−２Ｂ）に示すように、上部表示領域及び下部表示領域すなわち表示画面全体においてその中央に黒色の楕円が書き込まれる。
【００６４】
次に、第３フレーム期間の前フレーム期間では、（ｂ−３Ｆ）に示すように、上部表示領域において表示画面の中央に下部の一部を除く黒色の楕円の大部分が書き込まれるとともに、下部表示領域において表示画面の左側に黒色の楕円の下部の一部が書き込まれ、後フレーム期間では、（ｂ−３Ｂ）に示すように、上部表示領域及び下部表示領域すなわち表示画面全体においてその左側に黒色の楕円が書き込まれる。
【００６５】
この結果、第１フレーム期間では、（ｃ−１）に示すように、下部表示領域には楕円の下部の一部（下側ほど白くなる黒色）が薄く表示されるだけで済み、第２フレーム期間では、（ｃ−２）に示すように、第１フレームの残像として下部表示領域に楕円の下部の一部（下側ほど白くなる黒色）が薄く表示されるだけで済み、上部表示領域及び下部表示領域すなわち表示画面全体においてその右側に黒色の楕円が表示され、第３フレーム期間では、（ｃ−３）に示すように、第２フレームの残像として下部表示領域に楕円の下部の一部（下側ほど白くなる黒色）が薄く表示されるだけで済み、上部表示領域及び下部表示領域すなわち表示画面全体においてその中央に黒色の楕円が表示される。この結果、本実施の形態では、ユーザは、動きボケをほとんど知覚することなく、鮮明な動画像を視認することができる。
【００６６】
（第２の実施の形態）
次に、本発明による第２の実施の形態の液晶表示装置について説明する。図５は、本発明の第２の実施の形態による液晶表示装置の構成を示すブロック図である。図５に示す液晶表示装置と図１に示す液晶表示装置とで異なる点は、オーバードライブ回路７が付加され、メモリ制御回路２がオーバードライブ回路７をも制御するメモリ制御回路２ａに変更された点であり、その他の点は図１に示す液晶表示装置と同様であるので、同一部分には同一符号を付してその説明を省略し、以下、異なる部分について詳細に説明する。
【００６７】
オーバードライブ回路７は、バッファメモリ７１及び階調変換部７２を含む。バッファメモリ７１は、１フレーム分の高速映像信号のうちオーバードライブを行う領域の高速映像信号を記憶可能な容量を有している。ここで、オーバードライブを行う領域は、上部表示領域の最下部を含む上部下側領域であり、本実施の形態では、例えば、上部表示領域の下４分の１を上部下側領域として設定している。したがって、バッファメモリ７１は、表示画面の１６分の３すなわち１フレームの１６分の３の高速映像信号を記憶し、その容量をできるだけ削減している。なお、上部下側領域は、上記の例に特に限定されず、液晶パネル４の応答特性等に応じて、上部表示領域全体を上部下側領域に設定したり、上部表示領域の下２分の１、又は下８分の１等の種々の領域を設定したりしてもよい。
【００６８】
フレームメモリ部１は、第１の実施の形態と同様にして作成した高速映像信号をバッファメモリ７１及び階調変換部７２へ出力する。メモリ制御回路２ａは、同期信号ＳＳを基に、上部下側領域の高速映像信号がバッファメモリ７１へ入力されるタイミングを決定し、上部下側領域の高速映像信号のみを記憶するようにバッファメモリ７１を制御する。また、メモリ制御回路２ａは、同期信号ＳＳを基に、上部下側領域の高速映像信号が駆動回路３へ入力されるタイミングを決定し、上部下側領域の高速映像信号が出力される期間のうち後フレーム期間において現在のフレーム期間の高速映像信号より大きいオーバードライブ映像信号を作成し、この期間以外はフレームメモリ部１からの高速映像信号をそのまま出力するように、階調変換部７２を制御する。
【００６９】
バッファメモリ７１は、上部下側領域の高速映像信号を１フレーム期間だけ遅延して階調変換部７２へ出力する。上部下側領域の高速映像信号が出力される期間のうち後フレーム期間において、階調変換部７２は、フレームメモリ部１から出力される現在のフレーム期間の高速映像信号と、バッファメモリ７１から出力される１フレーム期間前の高速映像信号とを比較し、現在の高速映像信号が１フレーム期間前の高速映像信号よりも大きい場合は、現在の高速映像信号より大きいオーバードライブ映像信号を作成し、逆に現在の高速映像信号が１フレーム期間前の高速映像信号よりも小さい場合は、現在の高速映像信号より小さいオーバードライブ映像信号を作成して駆動回路３へ出力し、上記期間以外は、フレームメモリ部１からの高速映像信号をそのまま駆動回路３へ出力する。
【００７０】
具体的には、階調変換部７２は、ルックアップテーブルを含み、ルックアップテーブルは、現在のフレーム期間の高速映像信号と１フレーム期間前の高速映像信号との組み合わせに対応して、予め決められた補正値が格納されている。階調変換部７２は、上部下側領域において、フレームメモリ部１からの現在のフレーム期間の高速映像信号と１フレーム期間前の高速映像信号とからルックアップテーブルを参照し、対応する補正値を現在のフレーム期間の高速映像信号に加算してオーバードライブ映像信号を作成する。なお、オーバードライブ回路７の構成は、上記の例に特に限定されず、種々の変更が可能である。
【００７１】
図６は、図５に示す液晶表示装置のオーバードライブ映像信号の書き込みタイミングとバックライトの点滅タイミングを示す図である。ここで、液晶パネル４の上部下側領域内のある走査ラインをＵｎとし、オーバードライブを行わない場合の応答波形をＵｎＮ、オーバードライブを行った場合の応答波形をＵｎＯとする。
【００７２】
図６に示すように、液晶パネル４の応答特性が遅い場合、オーバードライブを行わない場合の応答波形ＵｎＮは、液晶パネル４の消灯期間である第２フレーム期間の後フレーム期間Ｆ２−Ｂ内で液晶の過渡応答状態が終了せず、点灯期間である第３フレーム期間の前フレーム期間Ｆ３−Ｆの前半の一部においても液晶の過渡応答が継続しており、この部分の変化をユーザが視認して動きボケを知覚する。
【００７３】
一方、本実施の形態によるオーバードライブを行った場合の応答波形ＵｎＯは、液晶パネル４の消灯期間である第２フレーム期間の後フレーム期間Ｆ２−Ｂ内で液晶の過渡応答状態が終了し、点灯期間である第３フレーム期間の前フレーム期間Ｆ３−Ｆでは目標階調である白レベルに達している状態で白表示が行われる。
【００７４】
このように、上部下側領域内の走査ラインに対してオーバードライブを行い、目標階調より大きい階調の高速映像信号を書き込むことにより、液晶パネル４の応答特性が遅い場合でも、液晶の応答速度を速めることができ、バックライト６の消灯期間内に液晶の過渡応答を完了することができる。この結果、液晶パネル４の応答特性が遅い場合でも、上部表示領域において、各走査ラインにおける液晶の応答到達階調を均一にすることができ、走査ラインによって不均一な輝度分布が発生することを抑制し、良好な動画を表示することができる。
【００７５】
なお、オーバードライブを行う際の補正値は、種々の値を用いることができ、上部下側領域内の全走査ラインに対して同じ補正値を用いたり、上部下側領域において上側の走査ラインから下側の走査ラインへ移行するほど補正値を大きくすることにより下側の走査ラインほどオーバードライブ量が大きくなるようにしたりしてもよい。
【００７６】
また、上部下側領域は、上記のように予め設定した一定領域に特に限定されず、現在の高速映像信号の階調と１フレーム期間前の高速映像信号の階調との差に応じて上部下側領域を変更する等の種々の変更が可能であり、例えば、階調差が所定の閾値以上となった走査ラインに対してのみオーバードライブを行ったり、書き込みタイミング（図３の破線ＤＵのタイミング）とバックライト６の点灯開始タイミングとの間隔が狭くなるほど閾値を小さくし、階調差がこの閾値以上となった走査ラインに対してのみオーバードライブを行ったりしてもよい。
【００７７】
ここで、上記のオーバードライブ回路７は、ルックアップテーブルの補正値を変更することにより、現在のフレーム期間の高速映像信号より小さいアンダードライブ映像信号を作成するアンダードライブ回路としても機能することができる。
【００７８】
この場合、例えば、下部表示領域の上４分の３を下部上側領域に設定し、バッファメモリ７１は、表示画面の１６分の３すなわち１フレームの１６分の３の高速映像信号を記憶し、その容量をできるだけ削減する。なお、下部上側領域は、上記の例に特に限定されず、液晶パネル４の応答特性等に応じて、下部表示領域全体を下部上側領域に設定したり、下部表示領域の上２分の１、又は上８分の７等の種々の領域を設定したりしてもよい。
【００７９】
このとき、メモリ制御回路２ａは、同期信号ＳＳを基に、下部上側領域の高速映像信号がバッファメモリ７１へ入力されるタイミングを決定し、下部上側領域の高速映像信号のみを記憶するようにバッファメモリ７１を制御する。また、メモリ制御回路２ａは、同期信号ＳＳを基に、下部上側領域の高速映像信号が駆動回路３へ入力されるタイミングを決定し、下部上側領域の高速映像信号が出力される期間のうち前フレーム期間において現在のフレーム期間の高速映像信号より小さいアンダードライブ映像信号を作成し、この期間以外はフレームメモリ部１からの高速映像信号をそのまま出力するように、階調変換部７２を制御する。
【００８０】
バッファメモリ７１は、下部上側領域の高速映像信号を１フレーム期間だけ遅延して階調変換部７２へ出力する。下部上側領域の高速映像信号が出力される期間のうち前フレーム期間において、階調変換部７２は、フレームメモリ部１から出力される現在のフレーム期間の高速映像信号と、バッファメモリ７１から出力される１フレーム期間前の高速映像信号とを比較し、現在の高速映像信号が１フレーム期間前の高速映像信号よりも大きい場合は、現在の高速映像信号より小さいアンダードライブ映像信号を作成し、逆に現在の高速映像信号が１フレーム期間前の高速映像信号よりも小さい場合は、現在の高速映像信号より大きいアンダードライブ映像信号を作成して駆動回路３へ出力し、上記期間以外は、フレームメモリ部１からの高速映像信号をそのまま駆動回路３へ出力する。
【００８１】
具体的には、階調変換部７２は、下部上側領域において、フレームメモリ部１からの現在のフレーム期間の高速映像信号と１フレーム期間前の高速映像信号とからルックアップテーブルを参照し、対応する補正値を現在のフレーム期間の高速映像信号から減算してアンダードライブ映像信号を作成する。なお、アンダードライブ回路の構成は、上記の例に特に限定されず、種々の変更が可能である。
【００８２】
図７は、図５に示す液晶表示装置のアンダードライブ映像信号の書き込みタイミングとバックライトの点滅タイミングを示す図である。ここで、液晶パネル４の下部上側領域内のある走査ラインをＬｍとし、アンダードライブを行わない場合の応答波形をＬｍＮ、アンダードライブを行った場合の応答波形をＬｍＵとする。
【００８３】
図７に示すように、液晶パネル４の応答特性が速い場合、アンダードライブを行わない場合の応答波形ＬｍＮは、液晶パネル４の点灯期間である第２フレーム期間の前フレーム期間Ｆ２−Ｆの後半部分で立ち上がり始め、この部分の立ち上がりをユーザが視認して動きボケを知覚する。
【００８４】
一方、本実施の形態によるアンダードライブを行った場合の応答波形ＬｍＵは、液晶パネル４の点灯期間である第２フレーム期間の前フレーム期間Ｆ２−Ｆの後半部分で立ち上がり始めるが、その振幅が小さいので、全体的には目標階調である黒レベル付近にある状態で黒表示が行われる。その後、液晶パネル４の消灯期間である第２フレーム期間の後フレーム期間Ｆ２−Ｂにおいて、現在のフレーム期間の高速映像信号がそのまま書き込まれてほぼ白レベルに達した後、液晶パネル４の点灯期間である第３フレーム期間の前フレーム期間Ｆ３−Ｆにおいて、白表示が行われる。
【００８５】
このように、下部上側領域内の走査ラインに対してアンダードライブを行い、目標階調より小さい階調の高速映像信号を書き込むことにより、液晶パネル４の応答特性が速い場合でも、液晶の立ち上がりを小さくすることができ、バックライト６の点灯期間内における液晶の過渡応答を小さくすることができる。この結果、液晶パネル４の応答特性が速い場合でも、下部表示領域において、各走査ラインにおける液晶の応答到達階調をほぼ均一にすることができ、走査ラインによって不均一な輝度分布が発生することを抑制し、良好な動画を表示することができる。
【００８６】
なお、上記のオーバードライブ及びアンダードライブは、併用してよく、また、一方のみを実行するようにしてもよい。
【００８７】
また、アンダードライブを行う際の補正値は、種々の値を用いることができ、下部上側領域内の全走査ラインに対して同じ補正値を用いたり、下部上側領域において下側の走査ラインから上側の走査ラインへいくほど補正値を大きくすることにより上側の走査ラインほどアンダードライブ量が大きくなるようにしたりしてもよい。
【００８８】
また、下部上側領域は、上記のように予め設定した一定領域に特に限定されず、現在の高速映像信号の階調と１フレーム期間前の高速映像信号の階調との差に応じて下部上側領域を変更する等の種々の変更が可能であり、例えば、階調差が所定の閾値以上となった走査ラインに対してのみアンダードライブを行ったり、書き込みタイミング（図３の破線ＤＬのタイミング）とバックライト６の消灯開始タイミングとの間隔が狭くなるほどに閾値を小さくし、階調差がこの閾値以上となった走査ラインに対してのみアンダードライブを行ったりしてもよい。
【００８９】
また、上記の各実施の形態では、バックライト６の点灯期間及び消灯期間を前フレーム期間及び後フレーム期間に対応させているが、液晶パネル４の応答特性等に応じて、点灯期間及び消灯期間を前フレーム期間及び後フレーム期間に対して所定時間だけ前後に移動させてもよい。
【００９０】
図８は、図１に示す液晶表示装置においてバックライトの点灯期間及び消灯期間を変更した場合の映像信号の書き込みタイミングとバックライトの点滅タイミングの一例を示す図である。図８に示す例では、所定の移動時間Ｔ、例えば、１フレーム期間の１６分の１だけ点灯期間及び消灯期間を進めており、バックライト点灯制御回路５は、同期信号ＳＳを基に、前フレーム期間より１フレーム期間の１６分の１だけ進めたタイミングでバックライト６を点灯させ（図中のハッチング部分）、後フレーム期間より１フレーム期間の１６分の１だけ進めたタイミングでバックライト６を消灯させ、バックライトを間欠点灯している。なお、バックライト６の点滅タイミング以外は、基本的に図３と同様である。
【００９１】
上記の設定において、図８に示す例では、第２フレーム期間の前フレーム期間Ｆ２−Ｆの終端より少し前にバックライト６が消灯しているため、下部表示領域の上部において液晶の応答波形が立ち上がり始めるが、その振幅を小さくできるので、全体的には目標階調である黒レベル付近にある状態で黒表示が行われる。このように、点灯期間を前フレーム期間より進めることにより、液晶パネル４の応答特性が速い場合でも、バックライト６の点灯期間内における液晶の過渡応答を小さくすることができる。
【００９２】
この結果、液晶パネル４の応答特性が速い場合でも、下部表示領域において、各走査ラインにおける液晶の応答到達階調をほぼ均一にすることができ、走査ラインによって不均一な輝度分布が発生することを抑制し、良好な動画を表示することができる。なお、第３フレーム期間の前フレーム期間Ｆ３−Ｆより少し前にバックライト６が点灯しているため、上部表示領域の下部において液晶の過渡応答状態が一部残るが、目標階調である白レベルにほぼ達している状態で白表示が行われていれば、ユーザはほぼ動きボケを知覚しない。
【００９３】
また、点灯期間及び消灯期間の移動量及び移動方向は、上記の例に特に限定されず、液晶の応答特性等に応じて種々の移動量を設定することができ、点灯期間を遅延させた場合は、液晶パネル４の応答特性が遅い場合でも、上部表示領域において、各走査ラインにおける液晶の応答到達階調をほぼ均一にすることができ、走査ラインによって不均一な輝度分布が発生することを抑制し、良好な動画を表示することができる。
【００９４】
また、上記の各実施の形態では、１フレーム期間を等分割して前フレーム期間及び後フレーム期間を設定したが、この例に特に限定されず、種々の変更が可能であり、例えば、後フレーム期間を前フレーム期間より長くして上部表示領域の比率を高めるようにしてよい。
【００９５】
また、表示画面全体に対して点灯期間及び消灯期間を設定したが、この例に特に限定されず、種々の変更が可能であり、例えば、上部表示領域を複数の上部表示領域に分割して表示領域ごとに異なる点灯期間及び消灯期間を設定するようにしてよい。
【産業上の利用可能性】
【００９６】
本発明に係る液晶表示装置は、各走査ラインにおける液晶の応答到達階調を略均一にすることにより、走査ラインによって不均一な輝度分布が発生することを抑制し、回路規模及び消費電力を増大することなく、良好な動画を表示することができるので、液晶パネルの背面に設けられた光源を間欠点灯させながら高速映像信号を液晶パネルに書き込む液晶表示装置等として有用である。
【図面の簡単な説明】
【００９７】
【図１】本発明の第１の実施の形態による液晶表示装置の構成を示すブロック図である。
【図２】図１に示すフレームメモリ部の第１及び第２フレームメモリの書き込みタイミング及び読み出しタイミングを説明するためのタイミングチャートである。
【図３】図１に示す液晶表示装置の映像信号の書き込みタイミングとバックライトの点滅タイミングを示す図である。
【図４】図３に示す駆動タイミングで液晶パネル及びバックライトを駆動した場合の動きボケを模式的に示す図である。
【図５】本発明の第２の実施の形態による液晶表示装置の構成を示すブロック図である。
【図６】図５に示す液晶表示装置のオーバードライブ映像信号の書き込みタイミングとバックライトの点滅タイミングを示す図である。
【図７】図５に示す液晶表示装置のアンダードライブ映像信号の書き込みタイミングとバックライトの点滅タイミングを示す図である。
【図８】図１に示す液晶表示装置においてバックライトの点灯期間及び消灯期間を変更した場合の映像信号の書き込みタイミングとバックライトの点滅タイミングの一例を示す図である。
【図９】従来の液晶表示装置の映像信号の書き込みタイミングとバックライトの点滅タイミングを示す図である。
【図１０】図９に示す駆動タイミングで液晶パネル及びバックライトを駆動した場合の動きボケを模式的に示す図である。
【符号の説明】
【００９８】
１  フレームメモリ部
２、２ａ  メモリ制御回路
３  駆動回路
４  液晶パネル
５  バックライト点灯制御回路
６  バックライト
７  オーバードライブ回路
７１  バッファメモリ
７２  階調変換部
【図１】
2009109736.tif 000003
【図２】
2009109736.tif 000004
【図３】
2009109736.tif 000005
【図４】
2009109736.tif 000006
【図５】
2009109736.tif 000007
【図６】
2009109736.tif 000008
【図７】
2009109736.tif 000009
【図８】
2009109736.tif 000010
【図９】
2009109736.tif 000011
【図１０】
2009109736.tif 000012